(57)【要約】【目的】本発明は、棚に収納された多数の検索対象物を検索する棚管理システムに関し、検索対象物の新規追加や廃棄の際に従来のデータベース上の検索データの更新を不要としかつヒット率を自動的に向上させることを目的とする。【構成】  検索対象物に貼付した、固定的な１次キーおよび随時更新可能な２次キーからなる検索キーを記憶するタグと、タグ内の情報を読み書きするリーダ・ライタと、検索キーが入力された検索指示をもとに、リーダ・ライタを制御して棚に収納された多数の検索対象物に貼付したタグから検索キーを読み出し、検索キーに一致する検索候補の一覧を提示する手段とを備える。【選択図】        図１
2007084318.tif 000002
【特許請求の範囲】
【請求項１】
棚に収納された多数の検索対象物を検索する棚管理システムにおいて、
検索対象物に貼付した、固定的な１次キーおよび随時更新可能な２次キーからなる検索キーを記憶するタグと、
前記タグ内の情報を読み書きするリーダ・ライタと、
検索キーが入力された検索指示をもとに、前記リーダ・ライタを制御して前記棚に収納された多数の検索対象物に貼付した前記タグから検索キーを読み出し、当該検索キーに一致する検索候補の一覧を提示する手段と
を備えたことを特徴とする棚管理システム。
【請求項２】
前記検索キーが入力された検索指示をもとに、前記リーダ・ライタを前記棚に収納された多数の検索対象物に貼付した前記タグに位置づけるように順次走査して検索キーの読み出しとその位置情報を対応づけ、当該検索キーに一致する検索候補とその位置情報の一覧を提示することを特徴とする請求項１記載の棚管理システム。
【請求項３】
前記検索候補一覧中から選択された検索候補あるいは指定された検索対象物について、キーワードが入力されたときに当該検索候補の検索対象物あるいは指定された検索対象物の前記タグの２次キーに当該キーワードを追加、または、タグに追加する空容量がないときは頻度の一番小さいものを削除あるいは一番小さい頻度が複数あるときは更新時の日時の一番古いものを削除して当該キーワードを追加することを特徴とする請求項１あるいは請求項２記載の棚管理システム。
【発明の詳細な説明】
【技術分野】
【０００１】
本発明は、棚に収納された多数の検索対象物を検索する棚管理システムに関するものである。
【背景技術】
【０００２】
従来、複数の棚にそれぞれ多数の書籍を保管し、各書籍のデータ（図書名、著者名、出版者名、発行年月日、識別子など）をデータベースに蓄積し、これを検索して書籍の識別子や格納した棚などを見つけて提示することが行われている。
【０００３】
当該システムでは、書籍を新たに購入したり、書籍を廃棄したりした場合に、データベースをその都度、更新する必要がある。更新の手間を無くすために、特許文献１に記載されているように、被収容物（書籍）に当該被収納物の一部の内容を読み取ることができる接続点対４を設けて、外部からの検索指示に対応して当該接続点対４を介して被収納物の内容を読み取って検索指示されたキーワードに対応する被収納物（書籍）を検索する技術がある。
【特許文献１】特開２００１−１２２４０９号公報
【発明の開示】
【発明が解決しようとする課題】
【０００４】
上述した技術では、検索指示に対応して接続点対４を介して被収納物から１部の内容を読み取って検索キーワードに対応する被収納物を見つけることができるが、しかし、読み取った内容に含まれない情報については検索できないと共に、随時、検索頻度の高い内容に更新、あるいは入れ換えできないという問題があった。
【課題を解決するための手段】
【０００５】
本発明は、これらの問題を解決するため、棚に収納した多数の検索対象物に読み書き可能なタグをそれぞれ貼付し、当該タグに固定的な１次キーと、追加可能な２次キーとを検索キーとして設け、ヒット率の高い２次キーを残し、ヒット率の低い２次キーを自動削除し、検索対象物の新規追加や廃棄の際に従来のデータベース上の検索データの更新を不要としかつヒット率を向上させることを目的としている。
【発明の効果】
【０００６】
本願発明は、棚に収納した多数の検索対象物に読み書き可能なタグをそれぞれ貼付して固定的な１次キーと、追加可能な２次キーとを検索キーとして設け、ヒット率の高い２次キーを残し、ヒット率の低い２次キーを自動削除することにより、検索対象物の新規追加や廃棄の際に従来のデータベース上の検索データの更新を不要としかつヒット率を向上させることが可能となる。
【発明を実施するための最良の形態】
【０００７】
本発明は、棚に収納した多数の検索対象物に読み書き可能なタグをそれぞれ貼付し、当該タグに固定的な１次キーと、追加可能な２次キーとを検索キーとして設け、ヒット率の高い２次キーを残し、ヒット率の低い２次キーを自動削除し、検索対象物の新規追加や廃棄の際に従来のデータベース上の検索データの更新を不要としかつヒット率を向上させることを実現した。
【実施例１】
【０００８】
図１は、本発明のシステム構成図を示す。
図１において、棚１は、検索対象物（例えば書籍）を多数、収納する棚であって、ここでは、検索対象物（書籍）２に検索キーを記憶するＲＦＩＤ（タグ）３を貼付し、Ｒ／Ｗスキャナー３を図示の状態で左から右、右から左と走査（移動）して当該検索対象物（書籍）２に貼付されたＲＦＩＤ３の情報（検索キー）をリードしたり、ライトしたして検索するように構成された棚である。
【０００９】
検索対象物２は、棚に多数、収納する検索対象の物であって、例えば書籍である。
ＲＦＩＤ３は、検索対象物２の情報（検索キーなど）を読み書きするタグであって、Ｒ／Ｗスキャナ４で位置づけて当該ＲＦＩＤ３から検索対象物２の検索キー（１次キー、２次キー）をリードしたりなどするものである。ＲＦＩＤ３は、無線でデータを読み書き可能な公知のＩＣメモリである。
【００１０】
Ｒ／Ｗスキャナー４は、棚１のここでは、段毎に設けて左から右あるいは右から左の方向へ移動（走査）して検索対象物２に貼付されたＲＦＩＤ３から検索キーを読み取ると共にそのときの位置情報を取得したりなどするものである。
【００１１】
検索ＰＣ１１は、検索対象物２を検索処理するパソコンであって、ここでは、検索手段１２、２次キー書込手段１３、並び換手段１４、表示装置１５、および入力装置１６などから構成されるものである。
【００１２】
検索手段１２は、利用者からキーワードを入力した検索指示があったときに、Ｒ／Ｗスキャンー４を走査して検索対象物２に貼付されたＲＦＩＤ３から検索キーをリードし、キーワードと一致する検索対象物２の一覧を提示したりなどするものである（図３から図６を用いて後述する）。
【００１３】
２次キー書込手段１３は、検索キーを構成する１次キーおよび２次キーのうち、任意に追加可能な２次キーの入力を受け付けて、該当ＲＦＩＤ３に書き込むものである（図３から図６を用いて後述する）。
【００１４】
並び換手段１４は、キーワードをもとに棚１に収納されている検索対象物２のＲＦＩＤ３の検索キーをリードして一致する検索対象候補について、２次キーの検索頻度順あるいは選択頻度順に並び換えて提示したりなどするものである（図３から図６を用いて後述する）。
【００１５】
表示装置１５は、検索画面などを表示するものである。
入力装置１６は、検索画面上などでキーワードを入力したりなどするものであって、キーボードやマウスなどである。
【００１６】
次に、図２のフローチャートに従い、検索対象物２に貼付するＲＦＩＤ３に検索キーを書き込む手順を詳細に説明する。
【００１７】
図２は、本発明の動作説明フローチャート（検索キーの書込）を示す。
図２において、Ｓ１は、検索対象物２のＲＦＩＤ３に検索キーを書き込む。これは、管理者がこれから図１の棚１に収納して検索対象とする新規の検索対象物（例えば書籍）２に貼付するＲＦＩＤ３に初期的に１次キーおよび必要に応じて書き換え可能な２次キーを書き込む。例えば後述する図３の（ａ）、（ｂ）に示すように、
・１次キー：
・著者名：森  鴎外
・出版社：講談社（登録商標）
・書籍名：舞姫
・２次キー：
・女々しい
と書き込む（２次キーは、書き込まなくてもよい）。
【００１８】
Ｓ２は、棚に収納する。これは、Ｓ１で検索対象物２に貼付したＲＦＩＤ３に検索キーを書き込んだ後、当該検索対象物２を図１の棚１の任意の段の任意の場所に収納する（管理者が手作業で収納あるいは図示外の搬送ロボットで収納する）。
【００１９】
以上によって、新規の検索対象物２について貼付したＲＦＩＤ３に検索キー（１次キーと必要に応じて２次キー）を書き込んで図１の棚１の任意の場所に収納することで、当該新規の検索対象物２を検索対象に追加することが可能となる。尚、検索対象物２を廃棄（削除）する場合には、棚１から該当する検索対象物２を取り出して廃棄すれば、検索対象から除外されることとなる。
【００２０】
図３は、本発明の検索キーの例を示す。図示検索キーは、検索対象物２に貼付したＲＦＩＤ３に書き込む検索キー（固定的な１次キー、任意に書き換え可能な２次キー）の例を示す。
【００２１】
図３の（ａ）はテーブル形式でＲＦＩＤ３に書き込む様子を模式的に示し、図３の（ｂ）はＸＭＬ形式でＲＦＩＤ３に書き込む様子を模式的に示す。両者は同一の検索キー（１次キー、２次キー）を表す。ここでは、検索キーとして、図示の下記のように書き込む。
【００２２】
・１次キー：
・著者名：
・出版社名：
・書籍名：
・２次キー：
・コメント１：
・コメント２：
・・・
ここで、１次キーは管理者が予め書き込む検索キーであって、固定的な検索対象物２を表す検索キーであり、検索対象物２が書籍の場合には、図示のように、著者名、出版社名、書籍名、更に、巻数、号数などの一意に特定に必要な情報を書き込む。一方、２次キーは随時、更新可能な検索キーであって、コメント１，２・・・Ｎであり、任意に追加、更新などする（図４から図６を用いて後述する）。
【００２３】
次に、図４および図５のフローチャートの順番に従い図１の構成のもとで検索するときの手順を詳細に説明する。
【００２４】
図４および図５は、本発明の動作説明フローチャート（検索）を示す。
図４において、Ｓ１１は、検索手段の起動指示ありか判別する。これは、図１の検索手段１２の起動指示が検索利用者からありか判別する。ＹＥＳの場合には、Ｓ１２で検索手段１２を起動し、Ｓ１３に進む。一方、Ｓ１１のＮＯの場合には、Ｓ１１を繰り返し待機する。
【００２５】
Ｓ１３は、Ｓ１２で検索手段１２が起動されたことに対応して、検索画面を表示する。検索手段１２が例えば後述する図６の（ａ）の検索画面を表示装置１５に表示する。
【００２６】
Ｓ１４は、検索ボタンをクリックか判別する。これは、図６の（ａ）の検索画面上で、検索利用者がキーワードを入力した後、検索ボタンをクリックしたか判別する。ＹＥＳの場合には、Ｓ１５に進む。ＮＯの場合には、Ｓ１４を繰り返し待機する。
【００２７】
Ｓ１５は、棚１のＲ／Ｗスキャナー４を動作してＲＦＩＤ３の読み取りを行う。これは、検索手段１２が検索指示に対応して、棚１の段毎に設けてあるＲ／Ｗスキャナー４を制御して例えば左端から右端に向けて移動させて検索対象物２に貼付してあるＲＦＩＤ３の位置に位置づけた状態で当該ＲＦＩＤ３から検索キー（１次キーおよび２次キー）を読み取ることを繰り返す。
【００２８】
Ｓ１６は、検索キーと一致か判別する。これは、検索指示されたキーワードが、Ｓ１５でＲＦＩＤ３から読み取った検索キー（１次キー、２次キー）と一致（全て一致および一部一致を含む）か判別する。ＹＥＳの場合には、検索指示されたキーワードと、ＲＦＩＤ３から読み取った検索キーとが一致したと判明したので、Ｓ１７に進む。一方、ＮＯの場合には、一致しないと判明したので、Ｓ２０に進む。
【００２９】
Ｓ１７は、Ｓ１６のＹＥＳで検索キーと一致と判明したので、現在のＲ／Ｗスキャナー３の位置情報を取得し、ＲＦＩＤ３から読み取った検索キーと対応づけて記憶する。
【００３０】
Ｓ１８は、検索キーは２次キーか判別する。これは、Ｓ１６のＹＥＳで検索指示されたキーワードと一致したのが検索キー中の２次キーか判別する。ＹＥＳの場合には、Ｓ１９で該当キーのカウンタを１インクリメント（即ち、検索指示されたキーワードと一致した検索キー中の２次キーに対応づけて設けてある図３の（ａ）のカウンタの値を１インクリメントし、２次キーの検索頻度の累計を更新）する。そして、Ｓ２０に進む。一方、Ｓ１８のＮＯの場合には、検索キーが２次キーでないと判明したので、Ｓ２０に進む。ここで、Ｓ１８およびＳ１９のＸの処理で、検索時にヒットしたのが２次キーの場合にはヒットした２次キーの頻度を累計（カウンタを１インクリメント）し、後述するＳ２２の検索候補一覧表示時に検索頻度順に並び換えて表示することが可能となる。
【００３１】
Ｓ２０は、最後まで移動か判別する。ＹＥＳの場合には、Ｓ２１に進む。ＮＯの場合には、Ｓ１５に戻り、次の検索対象物２に貼付されたＲＦＩＤ３の位置に位置づけて読み取りを行うことを繰り返す。
【００３２】
Ｓ２１は、検索ヒットか判別する。これは、既述したＳ１６のＹＥＳで検索キーと、検索指示したキーワードが一致（ヒット）したか判別する。ＹＥＳの場合には、検索ヒットしたと判明したので、図５のＳ２２に進む。ＮＯの場合には、検索ヒットしなかったと判明したので、終了する。
【００３３】
図５において、Ｓ２２は、検索一覧画面を表示する。これは、既述した図４のＳ１６のＹＥＳで、検索指示したキーワードに一致した、検索対象物２に貼付したＲＦＩＤ３から読み出した検索キー（１次キー、２次キー）の一覧画面とし、例えば後述する図６の（ｂ）の画面を表示する。この際、検索キー中の２次キーが一致したときは当該２次キーの頻度順（カウンタの値の大きい順）に一覧を表示する。
【００３４】
以上のＳ１１からＳ２２の手順により、利用者は検索用のキーワードを図６の（ａ）の画面から入力して検索指示すると、図１の検索手段１２が棚１の各Ｒ／Ｗスキャナー４を制御して検索対象物２に貼付したＲＦＩＤ３に位置づけて当該ＲＦＩＤ３から検索キー（１次キー、２次キー）を読み出してヒットしたときに当該検索キーと位置情報を対応づけて記憶することを繰り返し、全部走査終了したときにヒットした一覧を図６の（ｂ）の検索一覧画面に示すように表示することが可能となる。
【００３５】
この際、検索指示されたキーワードと一致したのが検索キー中の２次キーの場合には図４のＸの処理（Ｓ１８、Ｓ１９）で該当２次キーのカウンタを＋１して記憶し、検索一覧画面の表示時に当該カウンタの値（検索頻度）の順に並び換えて表示することが可能となる。
【００３６】
また、同様に、後述するＹの処理（図５のＳ２４、Ｓ２５）で選択された検索対象物２の検索キー中の２次キーがヒットしたときは当該２次キーのカウンタ（選択数）を＋１して累計頻度を記憶し、Ｓ２２の検索一覧表示時に当該カウンタ（選択数）の順に並び換えて表示するようにしてもよい。
【００３７】
Ｓ２３は、チェックボックスにクリックありか判別する。これは、Ｓ２２で例えば図６の（ｂ）の検索一覧画面を表示した状態で、検索利用者が一覧中から選択したエントリの左端のボタンのマウスでクリックされたものがありか判別する。ＹＥＳの場合には、Ｓ２４、Ｓ２５の処理を行う。ＮＯの場合には、Ｓ２６にスキップする。
【００３８】
Ｓ２４は、検索キーは２次キーか判別する。これは、Ｓ２３のＹＥＳで選択されたエントリの検索対象物２に貼付したＲＦＩＤ３から読み出した検索キーのうちの２次キーが、キーワードと一致したのか判別する。ＹＥＳの場合には、Ｓ２５で該当キーのカウンタを１インクリメント（即ち、検索キー中の２次キーに対応づけて設けてある図３の（ａ）のカウンタの値を１インクリメントし、２次キーの選択頻度の累計を更新）する。そして、Ｓ２６に進む。ここで、Ｓ２４およびＳ２５のＹの処理で、検索時にヒットした一覧中から選択した検索対象物２の２次キーがヒットしていた場合には、当該２次キーの選択頻度を累計（カウンタを１インクリメント）し、次回の検索候補一覧表示時に選択頻度順に並び換えて表示することが可能となる。
【００３９】
Ｓ２６は、コメント入力のクリックありか判別する。これは、図６の（ｂ）の検索一覧画面上でコメント入力のクリックがありか判別する。ＹＥＳの場合には、Ｓ２７以降に進む。ＮＯの場合には、終了する。
【００４０】
Ｓ２７は、２次キーの追加入力画面を表示する。これは、Ｓ２６のＹＥＳでコメント入力のありがクリックされたと判明したので、図１の２次キー書込手段１３が後述する図６の（ｃ）の２次キー追加入力画面を表示する。
【００４１】
Ｓ２８は、ＯＫクリックか判別する。これは、図６の（ｃ）の２次キー追加入力画面上で２次キー（例えば図示の「女の子のような」というキーワード）が入力されて、下段のＯＫボタンがクリックされたか判別する。ＹＥＳの場合には、Ｓ２９に進む。ＮＯの場合には、Ｓ２２に戻る。
【００４２】
Ｓ２９は、棚１のＲ／Ｗスキャナー４を動作して該当のＲＦＩＤ３に位置づける。これは、図６の（ｂ）の検索一覧画面で選択されたエントリについて、図６の（ｃ）で入力された２次キー（キーワード）をＲＦＩＤ３に書き込むために、選択したエントリの検索対象物２の記憶しておいた位置（図４のＳ１７で位置を取得して記憶した位置）にＲ／Ｗスキャナー４を位置づける。
【００４３】
Ｓ３０は、ＲＦＩＤ３の空容量ありか判別する。ＹＥＳの場合には、Ｓ３１で２次キーに追加（図３の検索キー中の２次キーの空容量の領域にキーワード（例えばコメント２として「女の子らしい」）を書き込み、Ｓ２２に戻る。一方、Ｓ３０のＮＯの場合には、空容量がないと判明したので、Ｓ３２に進む。
【００４４】
Ｓ３２は、２次キーのカウンタが１のものありか判別する。これは、Ｓ３０のＮＯでＲＦＩＤ３が満杯で２次キーを書き込めないと判明したので、既に書き込まれている２次キーのうち、カウンタが１（１回のみインクリメントされているもの）のものがあるか判別する。ＹＥＳの場合には、Ｓ３４に進む。ＮＯの場合には、カウンタが２以上しかないと判明したので、ここでは、Ｓ３３で書き込みせずに、Ｓ２２に戻る。
【００４５】
尚、Ｓ３２で２次キーのカウンタが１のものありか判別したが、２あるいは更に大きな数（頻度）以下のものがあるか判別し、２あるいは更に大きな数以下のものについて、書き換え対象とし、Ｓ３４以降の処理で書き換えを行っても良い。
【００４６】
Ｓ３４は、Ｓ３２のＹＥＳで書き換え対象の２次キーがあると判明したので、複数該当か判別する。これは、書き換え対象の２次キーが複数該当するか判別する。ＹＥＳの場合には、Ｓ３５で最も日時の古いＦＲＩＤを選択（あるいはカウンタの値が２あるいは更に大きな数以下の２次キーを書き換え対象した場合には、カウンタの値の最も小さいＲＦＩＤ、カウンタの値が同じものが複数あるときは最も日時の古いＲＦＩＤを選択）し、Ｓ３６で該当ＲＦＩＤ３を書き換え、Ｓ２２に戻る。一方、Ｓ３４のＮＯの場合には、複数該当するＲＦＩＤ３が無いと判明したので、Ｓ３６で該当ＲＦＩＤ３を書き換え、Ｓ２２に戻る。
【００４７】
以上のＳ２６のＹＥＳからＳ３６の手順により、ヒットした検索対象物２に貼付したＲＦＩＤ３中の２次キーに新たな２次キー（キーワード）を追加することが可能となる。また、指定した検索対象物２に貼付したＲＦＩＤ３について、同様に、Ｓ２７からＳ３６の手順により、２次キー（キーワード）を追加することが可能となる。
【００４８】
図６は、本発明の画面例を示す。
図６の（ａ）は、検索画面の例を示す。図示の検索画面は、既述した図４のＳ１３で表示する検索画面の例であって、検索利用者が当該検索画面上から検索するキーワードを１つあるいは複数入力し（複数入力するときは空白を置いて複数並べると共に、図示外の検索方法でＡＮＤあるいはＯＲなどの検索条件を指定し）、検索ボタンを押下して検索指示する。
【００４９】
図６の（ｂ）は、検索一覧画面の例を示す。これは、図６の（ａ）の検索画面でキーワードを入力し、既述した図４のＳ１４から図５のＳ２２の手順で検索してその検索結果を表示した検索一覧画面の例を示す。ここでは、左端にボタン（選択用のボタン）に続いて、ヒットした検索キー中の１次キー、２次キーの内容の一覧を表示したものである。この際、検索一覧は、２次キーの検索頻度順（既述した図４のＸの処理）、選択頻度順（図５のＹの処理）に並び換えて表示する。
【００５０】
図６の（ｃ）は、２次キー追加入力画面の例を示す。これは、図６の（ｂ）の検索一覧画面上で左端のボタンをクリックして選択した検索キーの内容を上段に表示し、中央に２次キーとして追加したいキーワード（ここでは、「女の子のような」）を入力した状態を示す。そして、下段のＯＫボタンをクリックすると、検索キー中の２次キーとして、図示のキーワード（「女の子のような」）が追加される（図５のＳ２７からＳ３６の処理で追加される）。また、任意に選択した検索対象物２のＲＦＩＤ３から読み出した検索キーについて、図６の（ｃ）のように表示させ、キーワードを入力して２次キーとして追加するようにしてもよい。
【００５１】
（付記１）
棚に収納された多数の検索対象物を検索する棚管理システムにおいて、
検索対象物に貼付した、固定的な１次キーおよび随時更新可能な２次キーからなる検索キーを記憶するタグと、
前記タグ内の情報を読み書きするリーダ・ライタと、
検索キーが入力された検索指示をもとに、前記リーダ・ライタを制御して前記棚に収納された多数の検索対象物に貼付した前記タグから検索キーを読み出し、当該検索キーに一致する検索候補の一覧を提示する手段と
を備えたことを特徴とする棚管理システム。
【００５２】
（付記２）
前記検索キーが入力された検索指示をもとに、前記リーダ・ライタを前記棚に収納された多数の検索対象物に貼付した前記タグに位置づけるように順次走査して検索キーの読み出しとその位置情報を対応づけ、当該検索キーに一致する検索候補とその位置情報の一覧を提示することを特徴とする付記１記載の棚管理システム。
【００５３】
（付記３）
前記タグに記憶した２次キーに対応づけてカウンタを設け、
前記入力された検索キーが２次キーあるいは検索キーの中に２次キーがあったときに当該２次キーでヒットした検索候補の２次キーのカウンタをインクリメントして検索頻度を記憶、あるいは前記検索候補一覧から選択された検索候補に検索指示された２次キーがあったときに当該２次キーのカウンタをインクリメントして選択頻度を記憶し、前記検索候補一覧時に当該検索頻度順あるいは当該選択頻度順に提示することを特徴とする付記１あるいは付記２記載の棚管理システム。
【００５４】
（付記４）
前記検索候補一覧中から選択された検索候補あるいは指定された検索対象物について、キーワードが入力されたときに当該検索候補の検索対象物あるいは指定された検索対象物の前記タグの２次キーに当該キーワードを追加、または、タグに追加する空容量がないときは頻度の一番小さいものを削除あるいは一番小さい頻度が複数あるときは更新時の日時の一番古いものを削除して当該キーワードを追加することを特徴とする付記１から付記３のいずれかに記載の棚管理システム。
【産業上の利用可能性】
【００５５】
本発明は、棚に収納した多数の検索対象物に読み書き可能なタグをそれぞれ貼付して固定的な１次キーと、追加可能な２次キーとを検索キーとして設け、ヒット率の高い２次キーを残し、ヒット率の低い２次キーを自動削除し、検索対象物の新規追加や廃棄の際に従来のデータベース上の検索データの更新を不要としかつヒット率を向上させる棚管理システムに関するものである。
【図面の簡単な説明】
【００５６】
【図１】本発明のシステム構成図である。
【図２】本発明の動作説明フローチャート（検索キーの書込）である。
【図３】本発明の検索キーの例である。
【図４】本発明の動作説明フローチャート（検索、その１）である。
【図５】本発明の動作説明フローチャート（検索、その２）である。
【図６】本発明の画面例である。
【符号の説明】
【００５７】
１：棚
２：検索対象物
３：ＲＦＩＤ（タグ）
４：Ｒ／Ｗスキャナー
１１：検索ＰＣ
１２：検索手段
１３：２次キー書込手段
１４：並び換手段
１５：表示装置
１６：入力装置
【図１】
2007084318.tif 000003
【図２】
2007084318.tif 000004
【図３】
2007084318.tif 000005
【図４】
2007084318.tif 000006
【図５】
2007084318.tif 000007
【図６】
2007084318.tif 000008